(57)【特許請求の範囲】
【請求項１】
複写時に潜像が現出する画像を描画するためのページ記述言語によって記述された出力画像データを生成する画像処理装置において、文書画像を描画する原稿画像データを受け取る入力手段と、前記原稿画像データの後に潜像を含む桜紙画像を描画する桜紙画像データを追加して前記出力画像データを生成する合成手段を有し、前記桜紙画像は第１の画像と第２の画像を重ねて描画したものであり、前記合成手段は、前記桜紙画像データとして前記第１の画像を描画する第１の画像データの後に、前記第１の画像と前記第２の画像を描画したときに両者の見かけ上の濃度がほぼ等しくなるように前記第１の画像を補正する調整画像データを追加し、さらに前記第２の画像を描画する第２の画像データを追加することを特徴とする画像処理装置。
【請求項２】
複写時に潜像が現出する画像を描画するためのページ記述言語によって記述された出力画像データを生成する画像処理装置において、文書画像を描画するとともに潜像を含む桜紙画像を構成する第１の画像及び第２の画像のうちの前記第１の画像を描画する原稿画像データを受け取る入力手段と、前記原稿画像データの後に前記第１の画像と前記第２の画像を描画したときに両者の見かけ上の濃度がほぼ等しくなるように前記第１の画像を補正する調整画像データを追加しさらに前記第２の画像を描画する第２の画像データを追加して前記出力画像データを生成する合成手段を有することを特徴とする画像処理装置。
【請求項３】
複写時に潜像が現出する画像を描画するためのページ記述言語によって記述された出力画像データを生成する画像処理装置において、文書画像を描画する原稿画像データを受け取る入力手段と、前記原稿画像データの後に潜像を含む桜紙画像を描画する桜紙画像データを追加して前記出力画像データを生成する合成手段を有し、前記桜紙画像は第１の画像と第２の画像を重ねて描画したものであり、前記合成手段は、前記桜紙画像データとして前記第１の画像を描画する第１の画像データの後に前記第２の画像を描画する第２の画像データを追加し、さらに、前記第１の画像と前記第２の画像を描画したときに両者の見かけ上の濃度がほぼ等しくなるように前記第１の画像または前記第２の画像を補正する調整画像データを追加することを特徴とする画像処理装置。
【請求項４】
前記桜紙画像データ、前記第１の画像データ、前記第２の画像データ、調整画像データのうちの少なくとも１つは、それぞれの画像に対応するパターンを繰り返す記述の画像データを含んでいることを特徴とする請求項１ないし請求項３のいずれか１項に記載の画像処理装置。
【請求項５】
複写時に潜像が現出する画像を描画するためのページ記述言語によって記述された出力画像データを生成する画像処理方法において、文書画像及び潜像を含む桜紙画像を構成する第１の画像及び第２の画像のうちの前記第１の画像を描画する原稿画像データの後に、前記第１の画像と前記第２の画像を描画したときに両者の見かけ上の濃度がほぼ等しくなるように前記第１の画像を補正する調整画像データを追加し、さらに前記第２の画像を描画する第２の画像データを追加し、前記出力画像データを生成することを特徴とする画像処理方法。
【請求項６】
複写時に潜像が現出する画像を描画するためのページ記述言語によって記述された出力画像データを生成する画像処理方法において、文書画像を描画する原稿画像データの後に、潜像を含む桜紙画像を構成する第１の画像及び第２の画像を描画する第１の画像データ及び第２の画像データを追加し、さらに、前記第１の画像と前記第２の画像を描画したときに両者の見かけ上の濃度がほぼ等しくなるように前記第１の画像または前記第２の画像を補正する調整画像データを追加し、前記出力画像データを生成することを特徴とする画像処理方法。
【請求項７】
前記桜紙画像データ、前記第１の画像データ、前記第２の画像データ、調整画像データのうちの少なくとも１つは、それぞれの画像に対応するパターンを繰り返す記述の画像データを含んでいることを特徴とする請求項５または請求項６に記載の画像処理方法。
【発明の詳細な説明】
【０００１】
【発明の属する技術分野】
本発明は、複写時に潜像が現出する画像を描画するためのページ記述言語によって記述された出力画像データを生成する画像処理装置及び画像処理方法に関するものである。
【０００２】
【従来の技術】
従来、機密文書の不正複写を抑制するために、桜紙と呼ばれる特殊な複写偽造防止用紙が用いられている。桜紙とは、人間の目には見えにくいが、複写機で複写すると隠されていた警告文字等が浮かび上がってくる特殊なパターンがあらかじめ印刷されている用紙である。この桜紙に印刷された文書を複写機で複写した場合、複写物には「複写禁止」等の警告文字が目立つように浮き出てくるので、不正に複写する行為に対して心理的な抑止になるとともに、オリジナルと複写物とを区別することを可能にしている。
【０００３】
図１５は、桜紙の印刷パターンの一例の説明図である。図１５（Ａ）には、桜紙の全体を示している。図１５（Ａ）中の黒で示す「ＣＯＰＹ」の領域が複写機で複写すると出てくる潜像部であり、その周囲のハッチングを施して示した領域が複写機で複写すると消える背景部である。潜像部および背景部とも、見かけの色および濃度が同じになるよう印刷されている。また、図示していないが、通常は全体的にカモフラージュ模様と呼ばれる細かい線画模様が入っている。カモフラージュ模様はそれ以外の領域よりも低い濃度となっており、複写機で複写すると消えるようになっている。また、桜紙の一部には、企業や自治体等のシンボルマークが印刷されている場合もある。このようなマークを、図１５（Ａ）では星形の図形で示している。
【０００４】
また図１５（Ｂ）には、潜像部と背景部の境界部分（図１５（Ａ）中の破線円部分）を拡大して示している。潜像部は、比較的大きなドット（線数の低い網点）を比較的疎に配置して構成されている。また背景部は、比較的小さなドット（線数の高い網点）を比較的密に配置して構成されている。
【０００５】
この桜紙に印刷された文書原稿を複写機で複写すると、潜像部を構成する網点ドットは複写機で解像できる大きさと濃度を持っているために、忠実に複写される。しかし、背景部を構成する網点ドットは、複写機で解像できない大きさであるために複写されない。よって、複写物には桜紙に印刷されていた文書画像とともに潜像パターンのみが浮き出て複写されることになる。これを利用し、桜紙に潜像として例えば「禁複写」等の警告文字を埋め込んでおけば、複写物には「禁複写」等の警告文字が目立つように浮き出てくる。これによって、不正複写を抑制することができるとともに、オリジナルと複写物とを区別することができる。
【０００６】
ところで、このような桜紙は、あらかじめ特殊な印刷を行っておく必要があるため、用紙自体のコストが通常の複写機やプリンタで使われる用紙に比べて高いという問題がある。また、背景パターンやロゴ、シンボルマーク等のデザインを変更する場合、用紙の印刷からやり直す必要があり、時間やコストがかかってしまうという問題もある。また、管理コストもユーザに負担になっている。
【０００７】
これら問題を解決する従来の技術として、例えば特開平７−２３１３８４号公報に記載されたデジタル記録装置がある。このデジタル記録装置は、ＣＣＤで読み取られた画像データを複写記録する際に、警告文字部分と背景部分が異なるディザ処理を施された画像を重ねあわせることにより、通常の用紙を用いて桜紙を用いた場合と同様の効果を得ようとするものである。この技術では、文書部分、警告文字部分、背景部分ともラスタ画像を前提としている。そのため、警告文字部分や背景部分を選択するためのマスクデータとして大量のデータを保存及びアクセスする必要があり、処理負荷が非常に大きいという問題がある。また桜紙データがラスタ画像であるため、ネットワークを通じて伝送する場合の負荷も大きいという問題がある。
【０００８】
また、例えば特願２０００−３３４９４８では、警告文字部分と背景部分の濃度が共通になるように調整した桜紙の画像の上に、文書の画像を論理和（ＯＲ）にて合成したものもある。
【０００９】
さらに、上述のような多量のデータを扱うことを避けるため、例えば特願２０００−２０９１２８では、ページ記述言語による桜紙画像を描画する画像データに文書画像を描画する画像データを付加することが考えられている。これによって、ラスタデータよりも格段にデータ量を低減でき、例えば伝送する場合でも負荷を軽減することができる。
【００１０】
しかし、これらの技術のように桜紙画像の上に文書画像を描画した場合、例えば文書画像の一部として白いボックスが上書き描画されると、そのボックス内部の桜紙画像が消え、白く抜けてしまう。同様に、文書画像中に背景画像の描画が指定されているなどといった場合には、文書全体として桜紙画像が消えて桜紙を使用した文書にはならなくなってしまうという問題があった。
【００１１】
【発明が解決しようとする課題】
本発明は、上述した事情に鑑みてなされたもので、文書画像がどのようなものであっても、桜紙画像による潜像を埋め込んだ画像が得られる出力画像データを生成する画像処理装置及び画像処理方法を提供することを目的とするものである。
【００１２】
【課題を解決するための手段】
本発明では、ページ記述言語によって記述された文書画像を描画する原稿画像データの後に、潜像を含む桜紙画像を描画する桜紙画像データを追加し、前記出力画像データを生成している。このように桜紙画像データを原稿画像データの後に追加することによって、原稿画像が描画された上に桜紙画像が描画される。そのため、白いボックスなどが原稿画像として描画された場合でも、その後に桜紙画像を描画することによってボックス内が白く抜けるといった不具合を防止することができる。
【００１３】
桜紙画像は潜像部分と背景部分などといったように２つの画像を合成して構成される場合が多いが、本発明では、一方を第１の画像、他方を第２の画像とするとき、原稿画像データの後ろに、第１の画像を描画する第１の画像データ、それに続いて第２の画像を描画する第２の画像データを追加する。あるいは、第１の画像と第２の画像を合成した桜紙画像データを原稿画像データの後ろに追加する。また、原稿画像データと第１の画像データが与えられる場合には、その後に第２の画像データを追加してもよい。
【００１４】
さらに本発明では、第１の画像と第２の画像の見かけ上の濃度をほぼ等しくすることによって、潜像を見えにくくしている。そのため、別途、調整画像データを追加することによって調整する。この場合、原稿画像データの後に第１の画像データを追加し、その後に調整画像データを追加し、さらに第２の画像データを追加する。あるいは、原稿画像データの後に第１の画像データ、第２の画像データを追加し、その後に調整画像データを追加している。
【００１６】
また、桜紙画像データ、前記第１の画像データ、前記第２の画像データ、調整画像データなどは、少なくとも１つについては、それぞれの画像に対応するパターンを繰り返す記述の画像データを含んでいてよい。これによってデータ量を削減することが可能である。
【００１７】
【発明の実施の形態】
図１は、本発明の実施の一形態を示すブロック図である。図中、１は入力部、２は合成部、３は桜紙画像データ保持部である。入力部１は、ページ記述言語で記述された原稿画像を描画するための原稿画像データを受け取る。合成部２は、入力部１で受け取った原稿画像データの後に、桜紙画像データ保持部３に保持されている桜紙画像データを追加し、出力画像データを生成して出力する。追加する桜紙画像データについては、後述するように第１の画像データ、第２の画像データ、調整画像データなどを所定の順に追加することができる。桜紙画像データ保持部３は、桜紙画像データを保持する。桜紙画像データとしては、桜紙画像を構成する第１の画像を描画する第１の画像データ、第２の画像を描画する第２の画像データを保持しておくことができる。これらは一方が潜像画像、他方が背景画像となることが多いが、いずれが第１の画像でいずれが第２の画像であってもよい。また、第１の画像と第２の画像の見かけ上の濃度を調整するための調整画像データについても保持しておくことができる。
【００１８】
なお、入力部１が受け取る原稿画像データには、桜紙画像を構成する第１の画像を描画する第１の画像データが含まれていてもよい。この場合、桜紙画像データ保持部は第２の画像データや調整画像データを保持し、合成部２は原稿画像データの後に、第２の画像データや調整画像データを追加することになる。
【００１９】
また、桜紙画像データについても、その都度、外部より与えるように構成することができる。その場合には、桜紙画像データ保持部３を設けずに構成することができる。
【００２０】
図２は、本発明の実施の一形態における画像データの変化の一例の説明図である。例えば図２（Ａ）に示すように、入力される画像データは、実際に原稿画像を描画する原稿画像データの上下にヘッダ及びフッタが付加されている。このような画像データに、図２（Ｂ）に示す桜紙画像データを合成する場合、図２（Ｃ）に示すように、原稿画像データの後に桜紙画像データを追加し、全体をヘッダ及びフッタにより挟んで出力画像データを生成し、出力する。
【００２１】
図３は、本発明の実施の一形態における動作の一例を示すフローチャートである。ここでは、予め桜紙画像データを生成し、桜紙画像データ保持部３に保持しておく。Ｓ１１において、原稿画像データが入力部１に入力され、原稿画像データを取得すると、Ｓ１２において、対応する桜紙画像データを桜紙画像データ保持部３から読み出す。
【００２２】
Ｓ１３において、Ｓ１２で読み出した桜紙画像データを挿入する原稿画像データ中の位置を検索する。例えば１ページのみの原稿画像データであれば、図２に示したように原稿画像データとフッタの間に挿入すればよいので、その位置を検索する。また複数ページの原稿画像データが連続している場合には、検索開始位置から最初に現れるページの切れ目を検索して挿入位置とすればよい。そしてＳ１４において、Ｓ１２で読み出した桜紙画像データを、Ｓ１３で検索した挿入位置に挿入する。
【００２３】
Ｓ１５において、最終頁に達したか否かを判定し、最終頁でなければ、挿入位置の直後を検索開始位置としてＳ１３に戻り、次のページの切れ目の検索とその位置への桜紙画像データの挿入を繰り返す。そして最終頁に達したら、出力画像データの生成処理を終了する。このようにして生成された画像データは、図２（Ｃ）に示した原稿画像データと桜紙画像データの組が、ページ数分だけ繰り返され、先頭と最後尾にヘッダ及びフッタが付加された構造のデータとなる。図２（Ｃ）の例は、原稿画像が１ページのみの場合を示している。
【００２４】
図４は、本発明の実施の一形態において生成された出力画像データによって形成される画像の一具体例の説明図である。図４（Ａ）に示すような原稿画像を描画する原稿画像データの後に、図４（Ｂ）に示すような桜紙画像を描画する桜紙画像データを追加して、出力画像データとする。このようにして生成された出力画像データを、例えばプリンタやディスプレイに出力する際に描画処理を行うことによって図４（Ｃ）に示すような画像が得られる。
【００２５】
図４（Ａ）に示す原稿画像には枠で囲まれた部分がある。この枠の内部が白く塗りつぶされるような画像データが原稿画像データ中に存在する場合でも、桜紙画像データを原稿画像データの後に追加しているため、このような枠の描画を行った後に桜紙画像の描画が行われる。従って、図４（Ｃ）に示すように、枠内も桜紙画像が描画され、枠内が白抜けするといった不具合を回避することができる。
【００２６】
なお、図４（Ｂ）に示す桜紙画像では、図示の都合上、「ＡＢ」として示した潜像画像部分と背景部分についてハッチングを異ならせて示しており、例えば図１５（Ｂ）で説明したように、線数が異なる網点によって構成される。しかし実際に画像となった時点では、両者は見かけ上ほぼ同じ濃度となるように描画される。
【００２７】
上述のようにして原稿画像データの後に桜紙画像データを追加して出力画像データを生成するが、桜紙画像データの追加方法にもいくつかの方法があるので、以下、画像の具体例を用いながら代表例について説明してゆく。
【００２８】
図５は、桜紙画像データの追加方法の第１の例の説明図である。この例では、桜紙画像を図５（Ｂ）に示す第１の画像と、図５（Ｄ）に示す第２の画像とによって構成する。この場合、図５（Ａ）に示す原稿画像を描画するための原稿画像データの後に、図５（Ｂ）に示す第１の画像を描画するための第１の画像データを追加する。この第１の画像は、網点処理や誤差拡散処理などの中間調を表現する手法によって実現している。
【００２９】
このまま第２の画像を第１の画像上に描画してしまうと、第２の画像の部分の濃度が上昇し、第１の画像と第２の画像の濃度が異なって潜像が目立ってしまう。そのため、第２の画像を重ねる部分の濃度を均等にするため、第２の画像が存在する部分、この例では「ＡＢ」の文字の領域と中間調を表現する手法を指定した図５（Ｃ）に示す調整画像を描画する調整画像データを追加する。簡単には、図５（Ｂ）に示す第１の画像に図５（Ｃ）に示す調整画像データを上書きすることによって、第１の画像から第２の画像部分を消去すればよい。なお、消去するためには、白などの背景色を指定して上書きすることで実現できる。もちろん、白画像の描画による消去の他、例えば第１の画像の濃度が第２の画像の濃度よりも濃い場合などでは、第２の画像が描画されたときに濃度が均等になるように低濃度の画像を書き込んでもよい。上述のように調整画像データでは白の画像を描画する場合もあるが、図５（Ｃ）では、他とは異なるハッチングを施して示している。
【００３０】
最後に、図５（Ｄ）に示す、桜紙を構成する第２の画像を描画するための第２の画像データを追加する。これによって、図５（Ｅ）に示すような最終的に桜紙を付加した画像を描画するための出力画像データを得ることができる。
【００３１】
なお、この例の場合には、第２の画像として文字を領域として指定し、第１の画像と同様に中間調を表現する手法によって実現している。しかしこれに限らず、第２の画像として文字以外の領域を指定してもよい。すなわち、第１の画像と第２の画像は、いずれが潜像部分でいずれが背景部分であってもよく、どちらの場合でも同じ手順で出力画像データを生成すればよく、描画の際にも何ら変わりはない。このことは、以下の各例においても同様である。
【００３２】
図６は、桜紙画像データの追加方法の第２の例の説明図である。この例では、入力される原稿画像データ中に、桜紙画像を構成する第１の画像を描画する第１の画像データが含まれている場合を示している。例えば原稿画像の背景などとして第１の画像を原稿画像に含めておくことができる。このような第１の画像が含まれた原稿画像を描画する原稿画像データを受け取った場合には、第１の画像中の第２の画像を重ねる部分の濃度を均等にするため、図６（Ｂ）に示す調整画像を描画する調整画像データを原稿画像データに追加する。この図６（Ｂ）に示す調整画像は上述の図５（Ｃ）に示すものと同じものである。そしてその後に、図６（Ｃ）に示す、桜紙を構成する第２の画像を描画するための第２の画像データを追加する。これによって、図６（Ｄ）に示すような最終的に桜紙を付加した画像を描画するための出力画像データを得ることができる。
【００３３】
図７は、桜紙画像データの追加方法の第３の例の説明図である。上述の第１の例及び第２の例では、桜紙画像を構成する第１の画像に対して調整画像による濃度調整を行った後に第２の画像を描画する例を示した。この変形例として、この例では第１の画像と第２の画像を描画した後に、第２の画像の領域（あるいは第１の画像の領域）について濃度調整を行う例を示している。
【００３４】
図７（Ａ）に示すような原稿画像を描画する原稿画像データの後に、図７（Ｂ）に示すような桜紙画像を構成する第１の画像を描画する第１の画像データを追加し、さらに図７（Ｃ）に示すような桜紙を構成する第２の画像を描画する第２の画像データを追加する。このままでは第１の画像と第２の画像が重なった部分において濃度が高くなってしまう。そのため、第１の画像中の第２の画像を重ねる部分の濃度を均等にするように、図７（Ｄ）に示す調整画像を描画する調整画像データを原稿画像データに追加する。この調整画像は、第２の画像の色付き画素が存在しない部分で、第１の画像の色付き画素が存在する部分を消去するような画像であればよい。
【００３５】
このようにして、原稿画像上に第１の画像及び第２の画像を描画し、さらに濃度調整のための調整画像を描画することによって、潜像部分と背景部分の濃度が均等に揃え、図７（Ｅ）に示すような最終的な画像が描画される出力画像データを得ることができる。
【００３６】
図８は、桜紙画像データの追加方法の第４の例の説明図である。この例では、桜紙画像を構成する第１の画像と第２の画像とが描画されたとき、潜像部分と背景部分の濃度がほぼ等しくなるように、第１の画像及び第２の画像が調整されている例を示している。この例では図８（Ｂ）に示す第１の画像中、第２の画像が描画される領域を白く抜いて示しているが、ある程度の濃度の画像が描画されてもよい。もちろん、第１の画像と第２の画像が逆であってもよい。
【００３７】
この例の場合、第１の画像と第２の画像の濃度が予め調整されているため、調整画像を用いる必要がない。従って、図８（Ａ）に示す原稿画像を描画するための原稿画像データの後に、図８（Ｂ）に示す第１の画像を描画するための第１の画像データを追加する。さらに図８（Ｃ）に示す第２の画像を描画するための第２の画像データを追加すればよい。これによって、図８（Ｄ）に示すような最終的に桜紙を付加した画像を描画するための出力画像データを得ることができる。
【００３８】
図９は、桜紙画像データの追加方法の第５の例の説明図である。上述の例では、桜紙画像を構成する第１の画像及び第２の画像を描画するための第１の画像データと第２の画像データをそれぞれ用意した例を示した。この例では、桜紙画像を構成する図９（Ｂ）に示す第１の画像と図９（Ｃ）に示す第２の画像を重ねあわせた、図９（Ｄ）に示す桜紙画像を描画するための桜紙画像データを、予め作成しておくものである。
【００３９】
この例の場合、図９（Ａ）に示す原稿画像を描画するための原稿画像データの後に、図９（Ｄ）に示す桜紙画像を描画するための桜紙画像データを追加すればよい。これによって、図９（Ｅ）に示すような最終的に桜紙を付加した画像を描画するための出力画像データを得ることができる。
【００４０】
次に、桜紙画像データによって桜紙画像を描画する際の方法について、いくつかの例を示す。図１０は、桜紙画像データによる桜紙画像の描画方法の第１の例の説明図である。上述の図１５（Ｂ）で示したように、桜紙画像は線数の異なる網点によって構成される。従って、その網点を構成する各点を描画すれば、桜紙画像を構成することができる。図１０に示す黒の点々が、画像データによって描画する網点を表している。しかし実際には、描画するそれぞれの点は見かけ上は点とは分からない程度の大きさであり、図１０では非常に誇張して示している。
【００４１】
桜紙画像において描画する点は、例えば予め作成しておいた桜紙画像をスキャンし、描画する色付き画素が存在する部分について、その点の大きさに応じて描画する画像データを生成してゆけばよい。なお、点の描画は、例えばある程度の線幅及び長さを有する線分として表現したり、あるいは矩形、円など、任意の描画オブジェクトによって実現することが可能である。後述するように繰り返しの命令を利用することによって、描画命令の個数を大幅に削減することが可能である。
【００４２】
なお、図１０では桜紙画像全体について一様に点によって描画したように記載しているが、例えば上述のように第１の画像と第２の画像に分離して画像データを生成してもよい。また、必要に応じて調整画像データについても用意しておいてもよい。このようにして生成された桜紙画像データ（あるいは第１の画像データと第２の画像データ、さらには調整画像データ）を、上述の図４ないし図９に示したようにして原稿画像データの後に付加して出力画像データを生成すればよい。
【００４３】
図１１は、桜紙画像データによる桜紙画像の描画方法の第２の例の説明図である。この例では、桜紙画像を太線で示すように図形によって分割し、それぞれの図形の組み合わせによって構成する例を示している。各図形においては、第１の画像あるいは第２の画像のいずれかを描画するように画像データを生成しておけばよい。例えば図１１（Ａ）に示す例では、第１の画像を描画する領域と第２の画像を描画する領域とを、ハッチングを異ならせて示している。従って、同じハッチングで示した領域については同じ網点画像を描画する画像データを生成しておけばよい。あるいは、図１１（Ｂ）に示すように、第１の画像を描画する領域のみから構成される第１の画像データを生成するとともに、第２の画像を描画する領域のみから構成される第２の画像データを生成してもよい。このようにして、複数の図形の描画によって桜紙画像を構成することができる。なお、このようにして桜紙画像を構成する場合、第２の画像を描画する領域と第１の画像を描画する領域とが完全に隣接している必要はなく、一部において多少離れたり多少重なっていてもかまわない。
【００４４】
図１２は、桜紙画像データによる桜紙画像の描画方法の第３の例の説明図である。この例は、上述の図１１に示した第２の例の変形である。この例では、桜紙画像を分割する図形を矩形としたものであり、それ以外は上述の第２の例と同様である。このように矩形によって構成する場合、生成する画像データも単純であり、処理の高速化を図ることが可能である。また規則的に記述してゆくことができるため、ある程度は例えば次の例に示す繰り返しの命令などを利用することが可能となり、画像データのデータ量を削減することも可能である。
【００４５】
図１３は、桜紙画像データによる桜紙画像の描画方法の第４の例の説明図である。この例は、画像データとして繰り返しの命令を利用した例を示している。図１３に示した例では、まず図１３（Ａ）に示すように、第１の画像を表現する中間調の微小パターンの描画色を指定（色指定）して、桜紙画像の縦方向の微小パターンの個数回の繰り返しと、１行に並ぶ横方向の微小パターンの個数回の繰り返しを指示し、微小パターンを指定する。これによって、桜紙画像の全体にわたり、微小パターンが繰り返して展開される。
【００４６】
次に、図１３（Ｂ）に示すように、第２の画像を重ねる部分、この例の場合は文字列「ＡＢ」によって領域を指定し、また、今度は色指定として白色を指定する。そして縦方向の繰り返しと、１行に並ぶ横方向の繰り返しを指示し、微小パターンを指定する。これによって、文字列内のみ、微小パターンが白色で描画される。そのため、図１３（Ａ）に示した画像データによって微小パターンが描画された上に、文字列内については白色により微小パターンが重ねて描画されて、先に描画した微小パターンが消去される。このようにして、図１３（Ｃ）に示すような第１の画像が生成できる。
【００４７】
なお、第２の画像については、図１３（Ｂ）に示す画像データのうち、色指定を変更し、第１の画像と見かけ上同じ色となるように色指定を行えばよい。また、パターン指定についても、第１の画像とは異なる線数の網点パターンを指定すればよい。
【００４８】
なお、図１３に示した画像データにおいて、例えば図１３（Ａ）に示した画像データを第１の画像データとし、図１３（Ｂ）に示した画像データを第１の画像に対する調整画像データとして利用することも可能である。
【００４９】
図１４は、桜紙画像データによる桜紙画像の描画方法の第５の例の説明図である。この例においても、画像データとして繰り返しの命令を利用した例を示している。図１４に示した例では、繰り返しの命令を用いて所定単位の小さな桜紙パターンを繰り返して描画させる例を示している。すなわち、縦方向の繰り返しと１行内の横方向の繰り返しを指示し、繰り返して描画されるパターンとして１単位の桜紙パターンを指定する。この桜紙パターンとしては、この例では潜像と背景画像が描画されたビットマップデータなどを指定している。もちろんこれに限らず、上述の図１０〜図１３に示した方法や、その他の各種の方法を用いて１単位の桜紙パターンを指定することが可能である。
【００５０】
図１３，図１４に示した例のように、繰り返しの命令を用いてパターンの描画を指示することによって、より少ない画像データによって桜紙画像を描画することが可能である。従って、例えば桜紙画像データを桜紙画像データ保持部３に保持させる際にも領域を有効に活用することができる。また、桜紙画像データを伝送路を介して転送する場合でも、短時間で高速に転送することが可能である。
【００５１】
【発明の効果】
以上の説明から明らかなように、本発明によれば、文書画像データの後に潜像を含む桜紙画像を描画する桜紙画像データを追加して出力画像データを生成するようにした。これによって、この出力画像データに基づいて描画処理を行えば、たとえ文書画像データで白く抜くような描画が行われても、その後で桜紙画像データの描画を行うので、潜像画像が抜けてしまうといった不具合を防止することができるという効果がある。従って、出力画像データに基づいて描画を行い、プリントすれば、予め印刷されている桜紙を用いる場合と同様の印刷物を得ることができる。
【図面の簡単な説明】
【図１】  本発明の実施の一形態を示すブロック図である。
【図２】  本発明の実施の一形態における画像データの変化の一例の説明図である。
【図３】  本発明の実施の一形態における動作の一例を示すフローチャートである。
【図４】  本発明の実施の一形態において生成された出力画像データによって形成される画像の一具体例の説明図である。
【図５】  桜紙画像データの追加方法の第１の例の説明図である。
【図６】  桜紙画像データの追加方法の第２の例の説明図である。
【図７】  桜紙画像データの追加方法の第３の例の説明図である。
【図８】  桜紙画像データの追加方法の第４の例の説明図である。
【図９】  桜紙画像データの追加方法の第５の例の説明図である。
【図１０】  桜紙画像データによる桜紙画像の描画方法の第１の例の説明図である。
【図１１】  桜紙画像データによる桜紙画像の描画方法の第２の例の説明図である。
【図１２】  桜紙画像データによる桜紙画像の描画方法の第３の例の説明図である。
【図１３】  桜紙画像データによる桜紙画像の描画方法の第４の例の説明図である。
【図１４】  桜紙画像データによる桜紙画像の描画方法の第５の例の説明図である。
【図１５】  桜紙の印刷パターンの一例の説明図である。
【符号の説明】
１…入力部、２…合成部、３…桜紙画像データ保持部。
【図１】
0004359742.tif 000002
【図２】
0004359742.tif 000003
【図３】
0004359742.tif 000004
【図４】
0004359742.tif 000005
【図５】
0004359742.tif 000006
【図６】
0004359742.tif 000007
【図７】
0004359742.tif 000008
【図８】
0004359742.tif 000009
【図９】
0004359742.tif 000010
【図１０】
0004359742.tif 000011
【図１１】
0004359742.tif 000012
【図１２】
0004359742.tif 000013
【図１３】
0004359742.tif 000014
【図１４】
0004359742.tif 000015
【図１５】
0004359742.tif 000016